(57)【要約】【課題】異なる表示パターンでの所定数の画像の表示を簡単に行う。【解決手段】表示制御装置１００は、表示部２の表示態様を制御する表示制御装置であって、複数の画像を記録する記録媒体１０１ａと、所定時間を空けて順次表示される複数のグループ画像と関連付けるためのグループＩＤが付帯され、当該複数のグループ画像と異なる差替画像を取得する画像取得部１０２と、画像取得部１０２により取得された差替画像に付帯され、当該他の画像の表示タイミングに係るｅｘｉｆタグの情報を取得する表示条件取得部１０３と、表示条件取得部１０３により取得されたｅｘｉｆタグの情報に基づいて、グループＩＤにより関連付けられた複数のグループ画像の表示に関連付けて差替画像を所定の表示タイミングで表示部２に表示させる表示制御部１０５と、を備える。【選択図】図１
2013073025.tif 000002
【特許請求の範囲】
【請求項１】
表示手段による画像の表示を制御する表示制御装置であって、
所定時間を空けて順次表示される複数の画像と関連付けるための画像関連付け情報が付帯され、当該複数の画像と異なる他の画像を取得する第１の取得手段と、
この第１の取得手段により取得された前記他の画像に付帯され、当該他の画像の表示タイミングに係る表示条件情報を取得する第２の取得手段と、
前記画像関連付け情報により関連付けられた前記複数の画像の表示に関連付けて、前記他の画像を前記第２の取得手段によって取得された前記表示条件情報に基づく表示タイミングで前記表示手段に表示させる制御手段と、
を備え、
前記表示条件情報は、前記画像関連付け情報により関連付けられた前記複数の画像の中から、前記他の画像と差し替えられる差替対象画像を特定するための情報を含み、
前記制御手段は、順次表示される前記複数の画像の中から前記表示条件情報に基づいて特定された前記差替対象画像と差し替えて前記他の画像を前記表示手段に表示させることを特徴とする表示制御装置。
【請求項２】
前記複数の画像は、各組が少なくとも二つの画像を含む複数の組に組分けされ、
前記表示条件情報は、前記複数の組のうち、前記差替対象画像を含む一の組を特定するための情報を含み、
前記制御手段は、前記表示条件情報に基づいて特定された前記一の組に含まれる複数の画像が順次表示される際に、当該一の組に含まれる前記差替対象画像と差し替えて前記他の画像を前記表示手段に表示させることを特徴とする請求項１に記載の表示制御装置。
【請求項３】
前記表示条件情報は、更に前記複数の画像のうちの何れかの画像の前又は後に前記他の画像を表示するための追加表示条件を含むことを特徴とする請求項１に記載の表示制御装置。
【請求項４】
前記表示条件情報は、ランダムテーブルに規定されている複数のランダム値のうちの所定値に係る情報を含み、
前記ランダムテーブルに規定されている複数のランダム値のうちのいずれかを決定する決定手段と、
前記表示条件情報に含まれる前記所定値と前記決定手段によって決定されたランダム値とが一致するか否か判定する第１判定手段を更に備え、
前記制御手段は、前記第１判定手段により前記所定値と前記ランダム値とが一致すると判定された場合に、前記他の画像を前記表示手段に表示させることを特徴とする請求項１〜３の何れか一項に記載の表示制御装置。
【請求項５】
前記表示条件情報は、前記他の画像を表示する時間の周期を示す周期値に係る情報を含み、
前記複数の画像が順次表示される際に、基準時から前記表示条件情報に含まれる前記周期値に応じた時間が経過したか否か判定する第２判定手段を更に備え、
前記制御手段は、前記第２判定手段により前記周期値に応じた時間が経過したと判定された場合に、前記他の画像を前記表示手段に表示させることを特徴とする請求項１〜３の何れか一項に記載の表示制御装置。
【請求項６】
前記表示条件情報は、前記他の画像の所定の表示タイミング以前に前記一の組に含まれる複数の画像が表示される回数を示す回数値に係る情報を含み、
前記一の組に含まれる複数の画像が順次表示される際に、当該一の組に含まれる複数の画像が前記表示条件情報に含まれる前記回数値に応じた回数表示されたか否か判定する第３判定手段を更に備え、
前記制御手段は、前記第３判定手段により前記一の組に含まれる複数の画像が前記回数値に応じた回数表示されたと判定された場合に、前記他の画像を前記表示手段に表示させることを特徴とする請求項２に記載の表示制御装置。
【請求項７】
前記表示手段は、複数設けられ、
前記表示条件情報は、前記複数の表示手段のうち、前記他の画像を表示する特定の表示手段に係る情報を含み、
前記制御手段は、前記表示条件情報に基づいて、前記複数の表示手段の中から特定された前記特定の表示手段に前記他の画像を表示させることを特徴とする請求項１〜６の何れか一項に記載の表示制御装置。
【請求項８】
複数の画像の表示手段による表示を制御する表示制御方法であって、
所定時間を空けて順次表示される前記複数の画像と関連付けるための画像関連付け情報が付帯され、当該複数の画像と異なる他の画像を取得するステップと、
取得された前記他の画像に付帯され、当該他の画像の表示タイミングに係る表示条件情報を取得するステップと、
前記画像関連付け情報により関連付けられた前記複数の画像の表示に関連付けて、前記他の画像を取得された前記表示条件情報に基づく表示タイミングで前記表示手段に表示させる表示ステップと、
を有し、
前記表示条件情報は、前記画像関連付け情報により関連付けられた前記複数の画像の中から、前記他の画像と差し替えられる差替対象画像を特定するための情報を含み、
前記表示ステップは、順次表示される前記複数の画像の中から前記表示条件情報に基づいて特定された前記差替対象画像と差し替えて前記他の画像を前記表示手段に表示させることを特徴とする表示制御方法。
【請求項９】
複数の画像の表示手段による表示を制御する表示制御装置のコンピュータを、
所定時間を空けて順次表示される前記複数の画像と関連付けるための画像関連付け情報が付帯され、当該複数の画像と異なる他の画像を取得する手段、
取得された前記他の画像に付帯され、当該他の画像の表示タイミングに係る表示条件情報を取得する手段、
前記画像関連付け情報により関連付けられた前記複数の画像の表示に関連付けて、前記他の画像を取得された前記表示条件情報に基づく表示タイミングで前記表示手段に表示させる表示手段、
として機能させ、
前記表示条件情報は、前記画像関連付け情報により関連付けられた前記複数の画像の中から、前記他の画像と差し替えられる差替対象画像を特定するための情報を含み、
前記表示手段は、順次表示される前記複数の画像の中から前記表示条件情報に基づいて特定された前記差替対象画像と差し替えて前記他の画像を前記表示手段に表示させることを特徴とするプログラム。
【発明の詳細な説明】
【技術分野】
【０００１】
本発明は、表示制御装置、表示制御方法及びプログラムに関する。
【背景技術】
【０００２】
従来、予め記録された複数の画像を順次読み出して表示するデジタルフォトフレーム等の表示装置がある（例えば、特許文献１）。
【先行技術文献】
【特許文献】
【０００３】
【特許文献１】特開２０１０−２５１８３９号公報
【発明の概要】
【発明が解決しようとする課題】
【０００４】
しかしながら、従来の表示装置では、所定時間間隔を空けて複数の画像を順次表示させる際に、いずれかの画像に差し替えて他の画像を表示させることによりこれら画像の表示パターンに変化を生じさせる場合、複数の画像と他の画像を含む全ての画像に係る表示条件を設定しなければならなかった。また、画像の表示パターンを複数設ける場合には、各表示パターンに応じて表示条件を設定しなければならないといった問題もある。
【０００５】
本発明の課題は、異なる表示パターンでの所定数の画像の表示を簡単に行うことができる表示制御装置、表示制御方法及びプログラムを提供することである。
【課題を解決するための手段】
【０００６】
上記課題を解決するため、本発明の表示制御装置は、表示手段による画像の表示を制御する表示制御装置であって、所定時間を空けて順次表示される複数の画像と関連付けるための画像関連付け情報が付帯され、当該複数の画像と異なる他の画像を取得する第１の取得手段と、この第１の取得手段により取得された前記他の画像に付帯され、当該他の画像の表示タイミングに係る表示条件情報を取得する第２の取得手段と、前記画像関連付け情報により関連付けられた前記複数の画像の表示に関連付けて、前記他の画像を前記第２の取得手段によって取得された前記表示条件情報に基づく表示タイミングで前記表示手段に表示させる制御手段と、を備え、前記表示条件情報は、前記画像関連付け情報により関連付けられた前記複数の画像の中から、前記他の画像と差し替えられる差替対象画像を特定するための情報を含み、前記制御手段は、順次表示される前記複数の画像の中から前記表示条件情報に基づいて特定された前記差替対象画像と差し替えて前記他の画像を前記表示手段に表示させることを特徴とする。
【０００７】
また、本発明の表示制御方法は、複数の画像の表示手段による表示を制御する表示制御方法であって、所定時間を空けて順次表示される前記複数の画像と関連付けるための画像関連付け情報が付帯され、当該複数の画像と異なる他の画像を取得するステップと、取得された前記他の画像に付帯され、当該他の画像の表示タイミングに係る表示条件情報を取得するステップと、前記画像関連付け情報により関連付けられた前記複数の画像の表示に関連付けて、前記他の画像を取得された前記表示条件情報に基づく表示タイミングで前記表示手段に表示させる表示ステップと、を有し、前記表示条件情報は、前記画像関連付け情報により関連付けられた前記複数の画像の中から、前記他の画像と差し替えられる差替対象画像を特定するための情報を含み、前記表示ステップは、順次表示される前記複数の画像の中から前記表示条件情報に基づいて特定された前記差替対象画像と差し替えて前記他の画像を前記表示手段に表示させることを特徴とする。
【０００８】
また、本発明のプログラムは、複数の画像の表示手段による表示を制御する表示制御装置のコンピュータを、所定時間を空けて順次表示される前記複数の画像と関連付けるための画像関連付け情報が付帯され、当該複数の画像と異なる他の画像を取得する手段、取得された前記他の画像に付帯され、当該他の画像の表示タイミングに係る表示条件情報を取得する手段、前記画像関連付け情報により関連付けられた前記複数の画像の表示に関連付けて、前記他の画像を取得された前記表示条件情報に基づく表示タイミングで前記表示手段に表示させる表示手段、として機能させ、前記表示条件情報は、前記画像関連付け情報により関連付けられた前記複数の画像の中から、前記他の画像と差し替えられる差替対象画像を特定するための情報を含み、前記表示手段は、順次表示される前記複数の画像の中から前記表示条件情報に基づいて特定された前記差替対象画像と差し替えて前記他の画像を前記表示手段に表示させることを特徴とする。
【発明の効果】
【０００９】
本発明によれば、異なる表示パターンでの所定数の画像の表示を簡単に行うことができる。
【図面の簡単な説明】
【００１０】
【図１】本発明の一実施形態による表示制御装置を備える表示装置の主要構成を示すブロック図である。
【図２】表示制御装置による画像表示処理の流れの一例を示すフローチャートである。
【図３】図２に続く画像表示処理の流れの一例を示すフローチャートである。
【図４】表示条件判定処理の流れの一例を示すフローチャートである。
【図５】記録媒体の記録内容の一例を示す図である。
【図６】差替画像に付帯する画像関連付け情報及び表示条件情報の一例を示す図である。
【図７】イベント種別とイベントパラメータの対応関係の一例を示す図である。
【図８】判定部の構成の一例を示すブロック図である。
【図９】複数のグループ画像が順次表示される場合の一例を示す図である。
【図１０】複数のグループ画像及び差替画像が表示される場合の一例を示す図である。
【図１１】複数の表示装置により複数のグループ画像及び差替画像が表示される場合の一例を示す図である。
【発明を実施するための形態】
【００１１】
以下に、本発明について、図面を用いて具体的な態様を説明する。ただし、発明の範囲は、図示例に限定されない。
【００１２】
図１は、本発明の一実施形態による表示制御装置１００を備える表示装置１の主要構成を示すブロック図である。
表示装置１は、表示制御装置１００、表示部２を備える。
表示制御装置１００は、表示装置１の表示部２による画像の表示を制御する。
表示部２は、例えば、液晶表示装置であり、表示制御装置１００の表示制御部１０５からのビデオ信号に応じて画像等を表示画面に表示する。
【００１３】
表示制御装置１００は、記録媒体制御部１０１、画像取得部１０２、表示条件取得部１０３、判定部１０４、表示制御部１０５、通信制御部１０６、操作入力部１０７、中央制御部１０８等を備えている。
【００１４】
記録媒体制御部１０１は、記録媒体１０１ａが着脱自在に構成され、装着された記録媒体１０１ａからのデータの読み出しや記録媒体１０１ａに対するデータの書き込みを制御する。記録媒体制御部１０１は、例えば、図５に示すように、夫々が複数の画像（例えば、画像の組Ｇａに含まれるグループ画像Ｇ１〜Ｇ４等）を含む画像の組Ｇａ、Ｇｂ等の画像や、差替画像Ｃ１、Ｃ２、その他の図示しない画像等を記録媒体１０１ａに記録させ、記録媒体１０１ａに記録された各種の画像データ等を読み出す。
【００１５】
ここで、グループ画像は、画像の組に含まれる複数の画像の各々をさす。画像の組は、夫々が少なくとも二つの画像を含む。また、１つの画像の組は、複数の画像の表示パターンの一つに対応する。即ち、本実施形態は、画像の組の数及び各々の画像の組に含まれるグループ画像に対応した複数の画像の表示パターンを有するものである。
また、差替画像は、１つの画像の組に含まれる複数のグループ画像が所定時間を空けて表示部２に順次表示される際に、複数のグループ画像のいずれかと差し替えて表示される他の画像をさす。
【００１６】
なお、記録媒体１０１ａは、例えば、不揮発性メモリ（フラッシュメモリ）等により構成されるが、一例であってこれに限られるものではなく、適宜任意に変更することができる。
【００１７】
画像取得部１０２は、画像を取得する。
画像取得部１０２は、例えば、記録媒体１０１ａに記録され、記録媒体制御部１０１により読み出されたグループ画像Ｇ１等の画像や差替画像Ｃ１等を取得する。
ここで、画像取得部１０２は、複数の画像（例えば、図５に示す画像の組Ｇａの複数のグループ画像Ｇ１〜Ｇ４等）が所定時間を空けて順次表示される際に画像の差し替えにより表示される他の画像（例えば、差替画像Ｃ１等）を取得する第１の取得手段として機能している。
【００１８】
表示条件取得部１０３は、画像取得部１０２により取得された差替画像Ｃ１、Ｃ２等の画像に付帯された表示条件情報を取得する第２の取得手段として機能している。
具体的には、表示条件取得部１０３は、例えば、ｅｘｉｆ（Exchangeable image file format）規格によるｅｘｉｆタグ２００に含まれる各種の情報を、画像取得部１０２により取得された差替画像Ｃ１や差替画像Ｃ２から読み出して取得する。
【００１９】
ここで、差替画像Ｃ１、Ｃ２及び表示条件取得部１０３が差替画像Ｃ１、Ｃ２から取得する各種の情報について、図６を参照して説明する。
差替画像Ｃ１、Ｃ２は夫々、ｅｘｉｆタグ２００、イメージデータ２１０等を含む画像データである。
ｅｘｉｆタグ２００は、当該ｅｘｉｆタグが含まれる画像データに係る各種の情報を含むデータである。差替画像Ｃ１、Ｃ２のｅｘｉｆタグに含まれるデータは夫々、差替画像Ｃ１、Ｃ２の画像データに係る各種の情報を含む。
【００２０】
ｅｘｉｆタグ２００は、メーカーノート２０１を含む。メーカーノート２０１は、例えば、グループタイプ２０２、グループＩＤ２０３、コントロールモード２０４、イベントパラメータ２０５、対象フレーム番号２０６等の各種のデータを含む。表示条件取得部１０３は、ｅｘｉｆタグ２００のメーカーノート２０１を読み出し、メーカーノート２０１に含まれる各種のデータを取得する。
【００２１】
グループタイプ２０２は、画像が差替画像であるか否かを示す情報を含むデータである。グループタイプ２０２は、例えば、当該グループタイプ２０２を含む画像が差替画像であることを示す値（例えば、１）と、当該グループタイプ２０２を含む画像が差替画像でないことを示す値（例えば、０）とが識別可能に示されたデータである。この場合、差替画像Ｃ１、Ｃ２に含まれるグループタイプ２０２の値は１である。
表示条件取得部１０３は、グループタイプ２０２を読み出して、その画像が差替画像であるか否かを判別する。
【００２２】
グループＩＤ２０３は、対応する画像の組を示す情報を含むデータである。グループＩＤ２０３は、例えば、当該グループＩＤ２０３を含む差替画像Ｃ１と差し替えられるグループ画像（差替対象画像）を含む一の組（対象組）を示す情報を含む。
表示条件取得部１０３は、グループＩＤ２０３を読み出して、その画像が差替画像（例えば、差替画像Ｃ１）である場合に、当該差替画像と差し替えられるグループ画像を含む画像の組（例えば、図５に示す画像の組Ｇａ等）を判別する。
ここで、グループＩＤ２０３は、差替画像Ｃ１、Ｃ２に付帯された、所定時間を空けて順次表示される複数の画像（例えば、画像の組Ｇａのグループ画像Ｇ１〜Ｇ４、画像の組ＧｂのＧ５〜Ｇ７等）と関連付けるための画像関連付け情報として機能している。
【００２３】
コントロールモード２０４は、グループ画像に含まれる画像と差替画像との差替を行う表示タイミングの決定に係る情報を含むデータである。コントロールモード２０４は、対象端末番号２０４ａ、イベント種別２０４ｂを含む。
【００２４】
対象端末番号２０４ａは、差替画像を表示させる表示装置１の特定に係るデータである。対象端末番号２０４ａは、例えば、表示装置１が有する装置を識別可能な固有の情報を含むデータである。固有の情報として、例えば、通信制御部１０６が有するＭＡＣアドレスを示す文字列や、専用に設けられた表示装置１の識別番号等が挙げられる。
表示条件取得部１０３は、対象端末番号２０４ａを読み出して、差替画像を表示させる表示装置１を特定することができる。表示条件取得部１０３は、複数の表示装置１による表示を行う場合にのみ対象端末番号２０４ａを参照するようにしてもよい（図１１参照）。
【００２５】
イベント種別２０４ｂは、差替画像を差替対象画像と差し替える差し替え処理を行うか否かを判定部１０４が判定するために行われる処理（イベント）の内容を示す情報を含むデータである。
イベントとして、例えば、ランダムイベント、時間イベント、表示回数イベント等が挙げられる。ランダムイベントは、イベントパラメータ２０５に含まれる所定値とランダムテーブルＴ（図８参照）に基づいて決定されたランダム値とが一致したか否かに応じて差し替え処理を行うか否か判定するイベントである。時間イベントは、複数の画像が所定時間を空けて順次表示されている際に、基準時（例えば、複数の画像の表示開始タイミング又は差替画像の最後の表示タイミング等）からイベントパラメータ２０５に含まれる周期値に応じた時間が経過したか否かに応じて差し替え処理を行うか否か判定するイベントである。表示回数イベントは、対象組の複数のグループ画像が所定時間を空けて順次表示されている際に、対象組に含まれる複数のグループ画像がイベントパラメータ２０５に含まれる回数値に応じた回数表示されたか否かに応じて差し替え処理を行うか否か判定するイベントである。
【００２６】
イベントパラメータ２０５は、図７に示すように、イベント種別２０４ｂにより示されるイベントの内容に応じた情報を含むデータである。
イベントパラメータ２０５は、イベント種別２０４ｂにより示されるイベントがランダムイベントである場合、所定値を含む。所定値は、ランダムテーブルＴに含まれる複数の値のうち一部の値に対応する値である。
また、イベントパラメータ２０５は、イベント種別２０４ｂにより示されるイベントが時間イベントである場合、周期値を含む。周期値は、差替画像を表示する時間の周期を示す値である。
また、イベントパラメータ２０５は、イベント種別２０４ｂにより示されるイベントが表示回数イベントである場合、回数値を含む。回数値は、差替画像の表示の前に行われる対象組に含まれる全てのグループ画像の所定の表示回数を示す値である。
【００２７】
対象フレーム番号２０６は、複数の画像（例えば、対象組に含まれる複数のグループ画像等）の中から、差替画像と差し替えられる差替対象画像を特定するための情報を含むデータである。対象フレーム番号２０６は、例えば、対象組に含まれる複数のグループ画像の夫々と対応付けられた複数のフレーム番号（例えば、０〜３）のうちいずれかのフレーム番号に対応する値（例えば、３）を含む。
フレーム番号は、画像の組（例えば、画像の組Ｇａ等）に含まれる複数のグループ画像（例えば、グループ画像Ｇ１〜Ｇ４等）が所定の時間をおいて順次表示されるときの表示の順序を示す値である。本実施形態では、最も小さい値を０として、順次１ずつ増加する値がフレーム番号としてグループ画像の夫々に個別に設定されており、より小さいフレーム番号を有する画像が先に表示される。
ここで、対象フレーム番号は、画像関連付け情報（例えば、グループＩＤ２０３）により関連付けられた複数の画像（例えば、画像の組に含まれるグループ画像）の中から、差替画像と差し替えられる差替対象画像を特定するための情報として機能している。
【００２８】
以下の説明では、一例として、グループ画像Ｇ１、Ｇ２、Ｇ３、Ｇ４のフレーム番号が夫々０、１、２、３であり、グループ画像Ｇ５、Ｇ６、Ｇ７のフレーム番号が夫々０、１、２であるものとする。
また、差替画像Ｃ１は、画像の組Ｇａを示すグループＩＤ２０３と、「３」を示す対象フレーム番号２０６が付帯するものとする。即ち、差替画像Ｃ１により差し替えられる画像を含む対象組は、画像の組Ｇａである。また、差替画像Ｃ１の差替対象画像は、画像の組Ｇａに含まれるグループ画像Ｇ４である。
また、差替画像Ｃ２は、画像の組Ｇｂを示すグループＩＤ２０３と、「２」を示す対象フレーム番号２０６付帯するものとする。即ち、差替画像Ｃ２により差し替えられる画像を含む対象組は、画像の組Ｇｂである。また、差替画像Ｃ１の差替対象画像は、画像の組Ｇｂに含まれるグループ画像Ｇ７である。
ここで、コントロールモード２０４、イベントパラメータ２０５、対象フレーム番号２０６等を含むｅｘｉｆタグ２００は、他の画像（例えば、差替画像Ｃ１、Ｃ２等）に付帯された当該他の画像の表示タイミングに係る表示条件情報として機能している。
【００２９】
イメージデータ２１０は、表示装置１の表示部２に表示される画像の表示態様に対応するデータである。イメージデータ２１０は、例えば、ビットマップ等のラスターイメージ形式や、ベクターイメージ形式等による表示のためのデータを含む。
【００３０】
なお、差替画像Ｃ１、Ｃ２以外の画像（例えば、グループ画像Ｇ１〜Ｇ７等）は、ｅｘｉｆ形式の画像であってもよい。その場合、グループ画像Ｇ１〜Ｇ７は夫々、値が０のグループタイプ２０２を有する。また、グループ画像Ｇ１〜Ｇ７は夫々、そのグループ画像自体を含む画像の組を示すグループＩＤ２０３を有する。
また、図示しないが、グループ画像Ｇ１〜Ｇ７は、そのグループ画像自体のフレーム番号を示すデータをメーカーノート２０１内に有していてもよい。
表示条件取得部１０３は、例えば、差替画像Ｃ１、Ｃ２に限らず、画像取得部１０２により取得されたグループ画像Ｇ１〜Ｇ７等、画像の組の夫々に含まれるグループ画像のｅｘｉｆタグ２００からグループＩＤ２０３等のメーカーノート２０１に含まれる情報を取得してもよい。また、表示条件取得部１０３は、画像取得部１０２により取得された差替画像でもグループ画像でもない他の画像から同様にその画像の表示条件に係る情報を取得してもよい。
【００３１】
判定部１０４は、差替画像の表示タイミングの決定に係る判定を行う。
判定部１０４は、例えば、差替画像（例えば、差替画像Ｃ１等）のイベント種別２０４ｂにより示されるイベントがランダムイベントである場合、当該差替画像のイベントパラメータ２０５に含まれる所定値とランダムテーブルに基づいて決定されたランダム値とが一致するか否か判定する。
具体的には、判定部１０４は、例えば、図８に示すように、ランダム値決定部１０４ａを有する。ランダム値決定部１０４ａは、ランダムテーブルＴを参照してランダム値を決定する。ランダムテーブルＴは、所定の範囲内（例えば、０〜２５５等）に含まれる複数の値が設定されたデータである。ランダム値決定部１０４ａは、ランダムテーブルＴを参照し、所定のアルゴリズムによりランダムテーブルＴに設定された複数の値のいずれかを取得してランダム値とする。ここで、所定値としてイベントパラメータ２０５に含まれる値は、ランダムテーブルＴに設定された複数の値のいずれかと同一の値である。
判定部１０４は、ランダム値決定部１０４ａにより決定されたランダム値と所定値とが一致するか否か判定する。ここで、ランダム値決定部１０４ａにより決定されたランダム値と所定値とが一致すると判定された場合、判定部１０４は、差替画像の表示条件が成立したと判定する。一方、ランダム値決定部１０４ａにより決定されたランダム値と所定値とが一致しないと判定された場合、判定部１０４は、差替画像の表示条件が成立しなかったと判定する。
ここで、判定部１０４は、ランダムテーブルＴに規定されている複数のランダム値のうちのいずれかを決定する決定手段として機能している。また、判定部１０４は、イベントパラメータ２０５に含まれる所定値とランダム値とが一致するか否か判定する第１判定手段として機能している。
【００３２】
また、判定部１０４は、例えば、差替画像（例えば、差替画像Ｃ１等）のイベント種別２０４ｂにより示されるイベントが時間イベントである場合、複数の画像（例えば、グループ画像Ｇ１〜Ｇ４等）が所定時間を空けて順次表示されている際に、基準時から当該差替画像のイベントパラメータ２０５に含まれる周期値に応じた時間が経過したか否か判定する。基準時は、例えば、当該複数の画像の表示開始タイミング又は当該差替画像の最後の表示タイミングのうちより後のタイミングである。
具体的には、判定部１０４は、例えば、図８に示すように、グループ画像Ｇ１〜Ｇ４の表示開始タイミング又は差替画像Ｃ１の最後の表示タイミングのうちより後のタイミング（計時開始タイミング）からの経過時間を計時するための経過時間取得部１０４ｂを有する。経過時間取得部１０４ｂは、例えば、現在時刻を計時するＲＴＣ（real-time clock）等を有する。また、経過時間取得部１０４ｂは、計時カウンタを設定する機能を有し、ＲＴＣにより計時される時刻の経過に応じて、計時開始タイミングから経過した時間を示す値（例えば、秒単位の値等）を計時カウンタに逐次格納する。ここで、周期値としてイベントパラメータ２０５に含まれる値は、計時カウンタに格納される単位（例えば、秒）に対応する所定の経過時間を示す値である。
判定部１０４は、計時カウンタの値が周期値を上回ったか否か判定する。ここで、計時カウンタの値が周期値を上回ったと判定された場合、判定部１０４は、差替画像の表示条件が成立したと判定すると共に、計時カウンタの値をリセットする。一方、計時カウンタの値が周期値を上回っていないと判定された場合、判定部１０４は、差替画像の表示条件が成立しなかったと判定する。
ここで、判定部１０４は、複数の画像が所定時間を空けて順次表示されている際に、基準時からイベントパラメータ２０５に含まれる周期値に応じた時間が経過したか否か判定する第２判定手段として機能している。
【００３３】
また、判定部１０４は、例えば、差替画像（例えば、差替画像Ｃ１等）のイベント種別２０４ｂにより示されるイベントが表示回数イベントである場合、対象組に含まれる複数の画像（例えば、画像の組Ｇａのグループ画像Ｇ１〜Ｇ４等）が所定時間を空けて順次表示されている際に、対象組の画像に含まれる全ての画像について、当該差替画像のイベントパラメータ２０５に含まれる回数値に応じた回数表示されたか否か判定する。
具体的には、判定部１０４は、例えば、図８に示すように、対象組に含まれる複数の画像が所定時間を空けて順次表示されている際に対象組の画像に含まれる全ての画像が表示された回数を表示回数としてカウントするための表示回数取得部１０４ｃを有する。表示回数取得部１０４ｃは、例えば、表示回数をカウントするためのカウンタを初期値０で設定する。そして、表示回数取得部１０４ｃは、対象組に含まれる複数の画像が所定時間を空けて順次表示されている際に対象組の画像に含まれる全ての画像が夫々１回ずつ表示されると、表示回数に１を加算する。なお、回数値としてイベントパラメータ２０５に含まれる値は、所定の整数値である。
判定部１０４は、表示回数取得部１０４ｃによりカウントされた表示回数の値を取得し、表示回数の値が回数値と等しくなったか否か判定する。ここで、表示回数の値が回数値と等しくなったと判定された場合、判定部１０４は、差替画像の表示条件が成立したと判定すると共に、表示回数取得部１０４ｃによりカウントされた表示回数の値をリセットする。一方、表示回数の値が回数値と等しくなっていないと判定された場合、判定部１０４は、差替画像の表示条件が成立しなかったと判定する。
ここで、判定部１０４は、一の組（対象組）に含まれる複数の画像（例えば、グループ画像Ｇ１〜Ｇ４）が所定時間を空けて順次表示されている際に、対象組に含まれる複数の画像がイベントパラメータ２０５に含まれる回数値に応じた回数表示されたか否か判定する第３判定手段として機能している。
【００３４】
判定部１０４は、複数の画像（例えば、画像の組Ｇａのグループ画像Ｇ１〜Ｇ４等）のいずれかの表示に係り、画像の表示が行われる前に、差替画像（例えば、差替画像Ｃ１等）のイベント種別２０４ｂに対応する判定を行う。そして、差替画像の表示条件の成立の是非を示す情報を表示制御部１０５に出力する。
【００３５】
表示制御部１０５は、画像を表示部２に表示させる表示制御に係る処理を行う。
具体的には、表示制御部１０５は、例えば、記録媒体１０１ａから読み出されたグループ画像（例えば、グループ画像Ｇ１等）のイメージデータ２１０の内容に応じたビデオ信号を発生して表示部２に対して出力する。
【００３６】
また、表示制御部１０５は、所定時間を空けて複数の画像を表示部２に順次表示させる表示制御を行う。例えば、操作入力部１０７を介して所定時間を空けて複数の画像を順次表示させる旨の設定がなされた場合、表示制御部１０５は、所定時間を空けて画像の組に含まれる複数の画像（例えば、画像の組Ｇａのグループ画像Ｇ１〜Ｇ４等）を表示部２に順次表示させる表示制御を行う。
【００３７】
また、表示制御部１０５は、表示条件取得部１０３により取得された画像関連付け情報及び表示条件情報に応じて差替画像を表示部２に表示させる。
具体的には、表示制御部１０５は、判定部１０４により差替画像の表示条件が成立したと判定された場合に、差替画像を表示部２に表示させる。
【００３８】
表示制御部１０５は、例えば、判定部１０４により差替画像（例えば、差替画像Ｃ１等）に付帯する表示条件情報（例えば、ｅｘｉｆタグ２００等）に含まれる所定値（例えば、イベントパラメータ２０５の所定値）とランダムテーブルＴに基づいて決定されたランダム値とが一致すると判定されて差替画像の表示条件が成立したと判定された場合に、差替画像を表示部２に表示させる。
【００３９】
また、表示制御部１０５は、例えば、判定部１０４により基準時から差替画像に付帯する表示条件情報に含まれる周期値（例えば、イベントパラメータ２０５の周期値）に応じた時間が経過したと判定されて差替画像の表示条件が成立したと判定された場合に、差替画像を表示部２に表示させる。
【００４０】
また、表示制御部１０５は、例えば、判定部１０４により対象組の画像に含まれる複数の画像が差替画像に付帯する表示条件情報に含まれる回数値（例えば、イベントパラメータ２０５の回数値）に応じた回数表示されたと判定されて差替画像の表示条件が成立したと判定された場合に、差替画像を表示部２に表示させる。
【００４１】
また、表示制御部１０５は、差替画像に付帯する表示条件情報が、複数の画像（例えば、グループ画像Ｇ１〜Ｇ４等）の中から、差替画像と差し替えられる差替対象画像を特定するための情報（例えば、対象フレーム番号２０６）を含む場合に、差替対象画像と差し替えて差替画像を表示部２に表示させる。
【００４２】
また、表示制御部１０５は、差替画像に付帯する表示条件情報が、複数の画像の組（例えば、画像の組Ｇａ等）の中から、差替対象画像（例えば、グループ画像Ｇ４）を含む一の組（対象組）を特定するための情報（例えば、グループＩＤ２０３）を含む場合、対象組に含まれる複数の画像（例えば、画像の組Ｇａのグループ画像Ｇ１〜Ｇ４等）が所定時間を空けて順次表示される際に差替対象画像と差し替えて差替画像を表示部２に表示させる。
ここで、表示制御部１０５は、他の画像（例えば、差替画像Ｃ１等）に付帯する表示条件情報から取得された画像の表示条件に基づいて、画像関連付け情報（例えば、グループＩＤ２０３）により関連付けられた複数の画像（例えば、グループ画像）の表示に関連付けて他の画像（例えば、差替画像）を所定の表示タイミングで表示部２に表示させる制御手段として機能している。
【００４３】
以下、図９、図１０を参照して、表示制御部１０５による差替画像の表示例を示す。図９、図１０は夫々、表示制御部１０５の制御下で複数の画像が表示部２に順次表示されることによる表示態様の変化を図９（ａ）〜（ｄ）、図１０（ａ）〜（ｄ）の順で示している。
まず、差替画像Ｃ１の表示が行われない場合、即ち、差替画像の表示条件が成立しておらず、表示制御部１０５が各画像の表示に所定時間を空けて複数の画像（例えば、画像の組Ｇａのグループ画像Ｇ１〜Ｇ４等）を表示部２に順次表示させる場合について、図９を参照して説明する。
差替画像の表示条件が成立していない場合、表示制御部１０５は、例えば、図９（ａ）〜（ｄ）に示すように、画像の組Ｇａのグループ画像Ｇ１、グループ画像Ｇ２、グループ画像Ｇ３、グループ画像Ｇ４を表示部２に順次表示させる。
【００４４】
次に、差替画像Ｃ１の表示が行われる場合、即ち、差替画像の表示条件が成立し、表示制御部１０５が各画像の表示に所定時間を空けて複数の画像（例えば、画像の組Ｇａのグループ画像Ｇ１〜Ｇ４等）を表示部２に順次表示させるにあたり、差替対象画像（例えば、グループ画像Ｇ４）と差替画像とを差し替えて表示部２に表示させる場合について、図１０を参照して説明する。
差替画像の表示条件が成立した場合、表示制御部１０５は、例えば、図１０（ｄ）に示すように、差替画像Ｃ１の対象フレーム番号２０６に含まれる情報から差替対象画像として特定されたグループ画像Ｇ４と差替画像Ｃ１とを差替画像とを差し替えて表示部２に表示させる。
ここで、表示制御部１０５は、例えば、図１０（ａ）〜（ｃ）に示すように、画像の組Ｇａに含まれる複数のグループ画像Ｇ１〜Ｇ４の中から、差替対象画像でないグループ画像Ｇ１〜Ｇ３について、図９（ａ）〜（ｃ）に示す場合と同様に各画像の表示に所定時間を空けて表示部２に順次表示させる。そして、表示制御部１０５は、差替対象画像であるグループ画像Ｇ４の表示タイミングで、差替対象画像として特定されたグループ画像Ｇ４と差替画像Ｃ１とを差替画像とを差し替えて表示部２に表示させる。
【００４５】
通信制御部１０６は、例えば、通信アンテナや通信回路（図示略）等を備え、無線ＬＡＮ（Local Area Network）等の所定の通信規格により、通信ネットワークＮを介して接続された外部の機器との間で情報の通信制御を行う。
【００４６】
なお、通信ネットワークＮは、例えば、専用線や既存の一般公衆回線を利用して構築された通信ネットワークＮであり、ＬＡＮ（Local Area Network）やＷＡＮ（Wide Area Network）等の様々な回線形態を適用することが可能である。また、通信ネットワークＮには、例えば、電話回線網、ＩＳＤＮ回線網、専用線、移動体通信網、通信衛星回線、ＣＡＴＶ回線網等の各種通信回線網と、それらを接続するインターネットサービスプロバイダ等が含まれる。
【００４７】
操作入力部１０７は、例えば、所定時間を空けて複数の画像を表示部２に順次表示させるか否かの設定、表示部２に表示させる画像や順次表示させる複数のグループ画像を含む画像の組の選択、表示部２に表示されている画像の手動による送り操作等を行うための上下左右移動キーや設定キー等の各種機能キーを有する操作部を備え、これらの操作部の操作に応じて所定の操作信号を中央制御部１０８に対して出力する。
【００４８】
中央制御部１０８は、表示装置１の各部を制御するものである。具体的には、中央制御部１０８は、図示は省略するが、ＣＰＵ（Central Processing Unit）、ＲＡＭ（Random Access Memory）、ＲＯＭ（Read Only Memory）を備え、表示装置１用の各種処理プログラム（図示略）や操作入力部１０７により入力された操作信号等に従って各種の制御動作を行う。
例えば、中央制御部１０８は、操作入力部１０７を介して所定時間を空けて複数の画像を順次表示させる旨の設定がなされた場合、当該設定がなされた旨を示す情報を記録媒体１０１ａ又は図示しない設定記録部等の記録装置に記録させる。表示制御部１０５は、記録された設定に応じて表示部２に画像を表示させる。
【００４９】
以下、表示装置１の画像表示処理について、図２〜図４のフローチャートによる例示を用いて説明する。
まず、画像取得部１０２が、記録媒体制御部１０１を介して記録媒体１０１ａから画像を読み出して取得する（ステップＳ１）。次に、取得された画像がグループ画像であるか否かの判定が行われる（ステップＳ２）。具体的には、例えば、表示条件取得部１０３が、ステップＳ１にて取得された画像のｅｘｉｆタグ２００を取得し、メーカーノート２０１に含まれるグループＩＤ２０３の値を取得する。ここで、表示条件取得部１０３により取得されたグループＩＤ２０３に画像の組を示す情報が含まれていた場合、判定部１０４は、取得された画像がグループ画像であると判定する。一方、表示条件取得部１０３により取得されたグループＩＤ２０３に画像の組を示す情報が含まれていなかった場合、判定部１０４は、取得された画像がグループ画像でないと判定する。
【００５０】
ステップＳ２にて、取得された画像がグループ画像でないと判定された場合（ステップＳ２；ＮＯ）、表示制御部１０５は、取得された画像を表示部２に表示させ（ステップＳ３）、画像表示処理を終了する。
【００５１】
一方、ステップＳ２にて、取得された画像がグループ画像であると判定された場合（ステップＳ２；ＹＥＳ）、画像取得部１０２は、ステップＳ１にて取得された画像と同一の組に含まれる他のグループ画像を全て取得する（ステップＳ４）。具体的には、例えば、表示条件取得部１０３が、記録媒体制御部１０１を介して記録媒体１０１ａから各画像のｅｘｉｆタグ２００を取得してメーカーノート２０１に含まれるグループＩＤ２０３を読み出し、ステップＳ１にて取得された画像（例えば、グループ画像Ｇ１）のグループＩＤ２０３と同一の値を有する全ての画像のデータ（例えば、グループ画像Ｇ２〜Ｇ４）を特定する。そして、画像取得部１０２が、ステップＳ１にて取得された画像のグループＩＤ２０３と同一の値を有する画像として特定された全ての画像を取得する。
次に、判定部１０４は、順次表示されるグループ画像のフレーム番号を管理するためのカウンタｎを初期値０で設定する（ステップＳ５）。
【００５２】
次に、画像取得部１０２は、差替画像（例えば、差替画像Ｃ１、Ｃ２）を取得する（ステップＳ６）。具体的には、例えば、表示条件取得部１０３が、記録媒体制御部１０１を介して記録媒体１０１ａから各画像のｅｘｉｆタグ２００を取得してメーカーノート２０１に含まれるグループタイプ２０２を読み出し、グループタイプ２０２の値が差替画像であることを示す値（例えば、１）である画像を特定する。そして、画像取得部１０２が、グループタイプ２０２の値から差替画像として特定された画像を取得する。
【００５３】
次に、判定部１０４は、ステップＳ１、Ｓ４にて取得されたグループ画像と同一の組の差替画像があるか否か判定する（ステップＳ７）。具体的には、例えば、表示条件取得部１０３が、ステップＳ６にて取得された差替画像Ｃ１等のｅｘｉｆタグ２００を取得してメーカーノート２０１に含まれるグループＩＤ２０３を読み出して取得する。そして、判定部１０４が、ステップＳ１、ステップＳ４にて取得された画像（例えば、グループ画像Ｇ１〜Ｇ４）のグループＩＤ２０３と同一の値を有するか否か判定する。
【００５４】
ここで、グループ画像と同一の組の差替画像がないと判定された場合（ステップＳ７；ＮＯ）、表示制御部１０５は、フレーム番号がｎであるグループ画像を表示部２に表示させる（ステップＳ８）。具体的には、例えば、表示条件取得部１０３が、ステップＳ１、Ｓ４にて取得されたグループ画像の夫々のメーカーノート２０１内からフレーム番号を示すデータを取得する。そして、表示制御部１０５が、フレーム番号がカウンタｎの値と同一であるグループ画像を表示部２に表示させる。
次に、判定部１０４は、カウンタｎの値に１を加算する（ステップＳ９）。
【００５５】
次に、判定部１０４は、ステップＳ１、Ｓ４にて取得されたグループ画像の中でまだ表示されていないグループ画像があるか否か判定する（ステップＳ１０）。ここで、まだ表示されていないグループ画像があると判定された場合（ステップＳ１０；ＹＥＳ）、ステップＳ８の処理に移行する。即ち、表示制御装置１００は、画像の組に含まれるグループ画像を順次表示させるため、ステップＳ８〜Ｓ１０の処理をループさせる。ここで、グループ画像を順次表示させるループ処理は、１つのグループ画像の表示ごとに所定時間を空けて行われる。
一方、まだ表示されていないグループ画像がないと判定された場合（ステップＳ１０；ＮＯ）、表示制御部１０５は、画像表示処理を終了する。
【００５６】
一方、ステップＳ７にて、グループ画像と同一の組の差替画像があると判定された場合（ステップＳ７；ＹＥＳ）、表示条件取得部１０３は、グループ画像と同一の組の差替画像から表示条件情報を取得する（ステップＳ１１）。具体的には、例えば、表示条件取得部１０３は、ステップＳ６にて取得された差替画像Ｃ１等のｅｘｉｆタグ２００を取得してメーカーノート２０１に含まれるコントロールモード２０４、イベントパラメータ２０５、対象フレーム番号２０６等の各種のデータを読み出して表示条件情報として取得する。
【００５７】
次に、判定部１０４は、表示条件取得部１０３により取得された表示条件情報に含まれる対象フレーム番号から、差替対象画像のフレーム番号を特定する（ステップＳ１２）。具体的には、例えば、判定部１０４は、表示条件取得部１０３により取得されたｅｘｉｆタグ２００のメーカーノート２０１に含まれる各種のデータの中から、対象フレーム番号２０６に含まれるフレーム番号の値を取得して差替対象画像のフレーム番号を特定する。
【００５８】
次に、判定部１０４は、表示条件取得部１０３により取得された表示条件情報に含まれるイベントの内容及び当該イベントの内容に対応するイベントパラメータの値を取得する（ステップＳ１３）。具体的には、例えば、判定部１０４は、表示条件取得部１０３により取得されたｅｘｉｆタグ２００のメーカーノート２０１に含まれる各種のデータのうち、イベント種別２０４ｂにより示されるイベントの内容を取得する。さらに、判定部１０４は、取得されたイベントの内容に応じた値をイベントパラメータ２０５から取得する。具体的には、例えば、取得されたイベントの内容がランダムイベントである場合、判定部１０４は、イベントパラメータ２０５に含まれる所定値を取得する。また、取得されたイベントの内容が時間イベントである場合、判定部１０４は、イベントパラメータ２０５に含まれる周期値を取得する。また、取得されたイベントの内容が表示回数イベントである場合、判定部１０４は、イベントパラメータ２０５に含まれる回数値を取得する。
【００５９】
次に、判定部１０４は、表示条件判定処理を行う（ステップＳ１４）。
ここで、表示条件判定処理について、図４のフローチャートを参照して説明する。
まず、判定部１０４は、カウンタｎの値が差替対象画像のフレーム番号と同一であるか否か判定する（ステップＳ３１）。ここで、カウンタｎの値が差替対象画像のフレーム番号と同一でないと判定された場合（ステップＳ３１；ＮＯ）、判定部１０４は、差替画像の表示条件が成立しなかったものと判定し（ステップＳ３２）、表示条件判定処理を抜ける。
【００６０】
一方、ステップＳ３１にて、カウンタｎの値が差替対象画像のフレーム番号と同一であると判定された場合（ステップＳ３１；ＹＥＳ）、判定部１０４は、ステップＳ１３にて取得されたイベントの内容がランダムイベントであるか否か判定する（ステップＳ３３）。ここで、イベントの内容がランダムイベントであると判定された場合（ステップＳ３３；ＹＥＳ）、判定部１０４は、ランダムテーブルＴに基づいて決定されたランダム値を取得する（ステップＳ３４）。具体的には、例えば、判定部１０４は、ランダム値決定部１０４ａによりランダムテーブルＴが参照されることにより決定されたランダム値を取得する。
次に、判定部１０４は、ステップＳ１３にて取得された所定値と、ステップＳ３４で取得されたランダム値とが一致したか否か判定する（ステップＳ３５）。ここで、所定値とランダム値とが一致しないと判定された場合（ステップＳ３５；ＮＯ）、ステップＳ３２の処理に移行する。即ち、判定部１０４は、差替画像の表示条件が成立しなかったものと判定し（ステップＳ３２）、表示条件判定処理を抜ける。一方、ステップＳ３５にて、所定値とランダム値とが一致したと判定された場合（ステップＳ３５；ＹＥＳ）、判定部１０４は、差替画像の表示条件が成立したものと判定し（ステップＳ３６）、表示条件判定処理を抜ける。
【００６１】
一方、ステップＳ３３にて、イベントの内容がランダムイベントでないと判定された場合（ステップＳ３３；ＮＯ）、判定部１０４は、ステップＳ１３にて取得されたイベントの内容が時間イベントであるか否か判定する（ステップＳ３７）。ここで、イベントの内容が時間イベントであると判定された場合（ステップＳ３７；ＹＥＳ）、判定部１０４は、経過時間取得部１０４ｂからグループ画像Ｇ１〜Ｇ４の表示開始タイミング又は差替画像Ｃ１の最後の表示タイミングのうちより後のタイミング（計時開始タイミング）からの経過時間を取得する（ステップＳ３８）。具体的には、判定部１０４は、例えば、経過時間取得部１０４ｂにより設定された計時カウンタに格納された計時開始タイミングからの経過時間を示す値を取得する。
【００６２】
次に、判定部１０４は、周期値に応じた時間が経過したか否か判定する（ステップＳ３９）。具体的には、判定部１０４は、例えば、計時カウンタの値が周期値を上回ったか否か判定する。ここで、周期値に応じた時間が経過していないと判定された場合（ステップＳ３９；ＮＯ）、ステップＳ３２の処理に移行する。即ち、判定部１０４は、差替画像の表示条件が成立しなかったものと判定し（ステップＳ３２）、表示条件判定処理を抜ける。一方、ステップＳ３９にて、周期値に応じた時間が経過したと判定された場合（ステップＳ３９；ＹＥＳ）、判定部１０４は、差替画像の表示条件が成立したものと判定する（ステップＳ３６）。そして、判定部１０４は、経過時間取得部１０４ｂにて設定された計時カウンタの値をリセットする処理を行い、表示条件判定処理を抜ける。
【００６３】
一方、ステップＳ３７にて、イベントの内容が時間イベントでないと判定された場合（ステップＳ３７；ＮＯ）、判定部１０４は、グループ画像の表示回数を取得する（ステップＳ４０）。具体的には、例えば、判定部１０４は、表示回数取得部１０４ｃにより表示回数としてカウントされた、対象組に含まれる複数の画像（例えば、画像の組Ｇａのグループ画像Ｇ１〜Ｇ４等）が所定時間を空けて順次表示されている際に対象組の画像に含まれる全ての画像が表示された回数の値を取得する。
【００６４】
次に、判定部１０４は、ステップＳ４０にて、回数値に応じた表示回数が取得されたか否か判定する（ステップＳ４１）。ここで、回数値に応じた表示回数が取得されていないと判定された場合（ステップＳ４１；ＮＯ）、ステップＳ３２の処理に移行する。即ち、判定部１０４は、差替画像の表示条件が成立しなかったものと判定し（ステップＳ３２）、表示条件判定処理を抜ける。一方、ステップＳ４１にて、回数値に応じた表示回数が取得されたと判定された場合（ステップＳ４１；ＹＥＳ）、判定部１０４は、差替画像の表示条件が成立したものと判定する（ステップＳ３６）。そして、判定部１０４は、表示回数取得部１０４ｃにて設定された計時カウンタの値をリセットする処理を行い、表示条件判定処理を抜ける。
【００６５】
表示条件判定処理の後、判定部１０４は、差替画像の表示条件が成立したか否か判定する（ステップＳ１５）。ここで、差替画像の表示条件が成立したと判定された場合（ステップＳ１５；ＹＥＳ）、表示制御部１０５は、図１０（ｄ）の例に示すように、フレーム番号がｎであるグループ画像と差し替えて当該グループ画像と同一のグループ画像の差替画像（例えば、差替画像Ｃ１等）を表示部２に表示させる（ステップＳ１６）。一方、差替画像の表示条件が成立しなかったと判定された場合（ステップＳ１５；ＮＯ）、表示制御部１０５は、図９（ａ）〜（ｄ）や図１０（ａ）〜（ｃ）の例に示すように、フレーム番号がｎであるグループ画像を表示部２に表示させる（ステップＳ１７）。
【００６６】
ステップＳ１６又はステップＳ１７の処理後、判定部１０４は、カウンタｎの値に１を加算する（ステップＳ１８）。
次に、判定部１０４は、ステップＳ１、Ｓ４にて取得されたグループ画像の中でまだ表示されていないグループ画像があるか否か判定する（ステップＳ１９）。ここで、まだ表示されていないグループ画像があると判定された場合（ステップＳ１９；ＹＥＳ）、ステップＳ１４の処理に移行する。即ち、表示制御装置１００は、画像の組に含まれるグループ画像を順次表示させるため、ステップＳ１４〜Ｓ１９の処理をループさせる。ここで、グループ画像を順次表示させるループ処理は、１つのグループ画像の表示ごとに所定時間を空けて行われる。
一方、まだ表示されていないグループ画像がないと判定された場合（ステップＳ１９；ＮＯ）、表示制御部１０５は、画像表示処理を終了する。
【００６７】
以上のように、本実施形態の表示装置１が備える表示制御装置１００によれば、画像取得部１０２が、所定時間を空けて順次表示される複数の画像（例えば、グループ画像Ｇ１〜Ｇ４等）と関連付けるための画像関連付け情報（例えば、グループＩＤ２０３）が付帯され、当該複数の画像と異なる他の画像（例えば、差替画像Ｃ１等）を取得し、表示条件取得部１０３が、画像取得部１０２により取得された他の画像に付帯され、当該他の画像の表示タイミングに係る表示条件情報（例えば、ｅｘｉｆタグ２００に含まれる各種の情報）を取得し、表示制御部１０５が、表示条件取得部１０３により取得された表示条件情報に基づいて、画像関連付け情報により関連付けられた複数の画像の表示に関連付けて他の画像を所定の表示タイミングで表示手段（例えば、表示部２）に表示させるので、所定定時間間隔を空けて順次表示される複数の画像の表示に割り込ませて他の画像を表示させることによりこれら画像の表示パターンに変化を生じさせる場合に、他の画像の表示条件を設定しさえすれば良く、全ての画像の表示条件を設定する必要がなくなる。また、画像の表示パターンを複数設ける場合に、各表示パターンに応じた表示条件情報が付帯された複数の他の画像を設ければ良く、各表示パターンに応じて表示条件を設定する必要がなくなる。このように、表示制御装置１００によれば、異なる表示パターンでの所定数の画像の表示を簡単に行うことができる。
また、表示条件情報は、画像関連付け情報（例えば、グループＩＤ２０３）により関連付けられた複数の画像（例えば、グループ画像Ｇ１〜Ｇ４等）の中から、他の画像（例えば、差替画像Ｃ１等）と差し替えられる差替対象画像を特定するための情報（例えば、対象フレーム番号２０６）を含み、表示制御部１０５は、表示条件情報に基づいて特定された差替対象画像と差し替えて他の画像を表示手段（例えば、表示部２）に表示させるので、他の画像を用意するだけで、順次表示される複数の画像の中から差替対象画像として特定された画像と差し替えて差替画像を表示させることができ、より簡単に他の画像を表示させることができる。
【００６８】
また、複数の画像は、各組が少なくとも二つの画像を含む複数の組（例えば、画像の組Ｇａ、Ｇｂ等）に組分けされ、表示条件情報は、複数の組のうち、差替対象画像を含む一の組（対象組）を特定するための情報を含み、表示制御部１０５は、表示条件情報に基づいて特定された一の組に含まれる複数の画像（例えば、画像の組Ｇａのグループ画像Ｇ１〜Ｇ４等）が順次表示される際に、当該一の組に含まれる差替対象画像と差し替えて他の画像（例えば、差替画像Ｃ１等）を表示手段（例えば、表示部２）に表示させるので、差替画像を用意するだけで、画像の組に含まれて順次表示される複数のグループ画像のいずれかと差替画像とを差し替えて表示させることができ、より簡単に他の画像を表示させることができる。即ち、所定時間を空けて順次表示される複数の画像の表示パターンに対応する画像の組が複数設けられている場合であっても、他の画像と差し替えられる一の組及び差替対象画像を特定することができる。
【００６９】
また、表示条件情報は、ランダムテーブルＴに規定されている複数のランダム値のうちの所定値に係る情報（例えば、イベントパラメータ２０５の所定値）を含み、判定部１０４が、表示条件情報に含まれる所定値とランダムテーブルＴに基づいて決定されたランダム値とが一致するか否か判定し、所定値とランダム値とが一致すると判定された場合に、表示制御部１０５が他の画像（例えば、差替画像Ｃ１等）を表示手段（例えば、表示部２）に表示させるので、差替画像の表示タイミングにランダム性を生じさせることができ、差替画像の表示タイミングのランダム性により複数の画像の表示パターンに意外性を生じさせることができる。
【００７０】
また、表示条件情報は、他の画像（例えば、差替画像Ｃ１等）を表示する時間の周期を示す周期値に係る情報（例えば、イベントパラメータ２０５の周期値）を含み、判定部１０４が、複数の画像（例えば、グループ画像Ｇ１〜Ｇ４等）が順次表示される際に、基準時から表示条件情報に含まれる周期値に応じた時間が経過したか否か判定し、周期値に応じた時間が経過したと判定された場合に、表示制御部１０５が他の画像を表示手段（例えば、表示部２）に表示させるので、他の画像の表示タイミングに時間的な周期性を生じさせることができ、差替画像の表示タイミングの周期性により複数の画像の表示パターンに時間的な変化を生じさせることができる。
【００７１】
また、表示条件情報は、他の画像（例えば、差替画像Ｃ１等）の所定の表示タイミング以前に一の組に含まれる複数の画像（例えば、画像の組Ｇａのグループ画像Ｇ１〜Ｇ４等）が表示される回数を示す回数値に係る情報（例えば、イベントパラメータ２０５の回数値）を含み、判定部１０４が、一の組に含まれる複数の画像が順次表示される際に、当該一の組に含まれる複数の画像が表示条件情報に含まれる回数値に応じた回数表示されたか否か判定し、一の組に含まれる複数の画像が回数値に応じた回数表示されたと判定された場合に、表示制御部１０５が他の画像を表示手段（例えば、表示部２）に表示させるので、他の画像の表示タイミングに画像の組に含まれる全てのグループ画像の表示回数に対応した周期性を生じさせることができ、差替画像の表示タイミングの周期性により複数の画像の表示パターンに変化を生じさせることができる。
【００７２】
＜変形例＞
以下、本発明の変形例について、図１１を参照して説明する。
変形例において、表示制御装置１００は、複数設けられた表示装置１の表示態様を制御する。図１１では、三つの表示装置１が設けられているが、一例であってこれに限られるものでなく、二つでも四つ以上でもよい。また、図１１では、三つの表示装置１が通信ネットワークＮを介して接続されているが、複数の表示手段の接続形態の一例であってこれに限られるものでない。例えば、所定のインタフェース（例えば、ＵＳＢ等）を介して接続されてもよいし、接続のための専用の構成を設けてもよい。
【００７３】
変形例では、三つの表示装置１のうち１つの表示装置１に設けられた表示制御装置１００が当該三つの表示装置１の表示態様を制御するが、一例であってこれに限られるものでない。例えば、表示装置１と別個に設けられた表示制御装置１００と、表示部２と同様の構成を有する複数の表示手段とが接続されるようにしてもよい。
【００７４】
変形例では、表示制御装置１００は、複数の画像のうち一部の画像を複数の表示手段（例えば、図１１（ａ）〜（ｄ）に示す複数の表示装置１）のうち一部の表示手段に表示させ、他の画像を他の表示手段に表示させてもよい。
具体的には、例えば、図１１（ａ）〜（ｃ）に示すように、表示制御装置１００は、三つの表示装置１のうち１つの表示装置（例えば、図１１（ａ）に示す右の表示装置１）に画像の組Ｇｂのグループ画像Ｇ５を表示させ、所定時間を空けて、グループ画像Ｇ５を表示した表示装置１とは異なる表示装置（例えば、図１１（ｂ）に示す中央の表示装置１）にグループ画像Ｇ６を表示させるようにしてもよい。さらに、表示制御装置１００は、所定時間を空けて、グループ画像Ｇ５、Ｇ６を表示した表示装置１とは異なる表示装置（例えば、図１１（ｃ）に示す左の表示装置１）にグループ画像Ｇ７を表示させるようにしてもよい。
【００７５】
また、表示制御装置１００は、複数の表示手段の中から特定された特定の表示手段に他の画像を表示させるようにしてもよい。
具体的には、例えば、表示制御装置１００の表示条件取得部１０３が、差替画像（例えば、差替画像Ｃ２等）のｅｘｉｆタグ２００のメーカーノート２０１に含まれる対象端末番号２０４ａを取得し、差替画像を表示させる表示装置１を特定する。そして、表示制御部１０５が、差替画像を表示させる表示装置１として特定された表示装置（例えば、図１１（ｄ）に示す左の表示装置１）に、差替画像を表示させる。
【００７６】
変形例における表示制御装置１００による処理のうち、差替画像を表示させる表示装置１の特定に係る処理以外の処理は、図１〜８を参照して説明した上記の実施形態における表示制御装置１００の処理と同様である。即ち、表示制御装置１００の判定部１０４は、例えば、グループ画像のフレーム番号が差替画像のｅｘｉｆタグ２００のメーカーノート２０１に含まれる対象フレーム番号２０６と同一である場合に、グループ画像と差替画像とを差し換えて差替画像を表示させる。また、判定部１０４は、ｅｘｉｆタグ２００のメーカーノート２０１に含まれるイベント種別２０４ｂ及びイベントパラメータ２０５に含まれる情報に応じたイベントに係る判定を行い、差替画像の表示条件が成立したと判定された場合にグループ画像と差替画像とを差し換えて差替画像を表示させる。
【００７７】
なお、図１１に示す表示例はあくまで一例であり、これに限られるものではない。例えば、表示制御装置１００は、二つ以上の画像を連続して１つの表示装置１に表示させた後、その後に順次表示される画像を他の表示装置１に表示させるようにしてもよい。また、表示装置１は、一部の画像を二つの表示装置１に表示させ、残りの画像を他の表示装置１に表示させてもよい。即ち、表示装置１と表示される画像との対応関係は１対１に限らない。複数の表示装置１の各々と、各表示装置１により表示される画像との対応付けは、任意に行うことができる。例えば、複数の画像の各々に当該対応付けに係る情報を付帯させるようにしてもよいし、表示制御装置１００が所定のルーチン等に基づいて当該対応付けを決定するようにしてもよい。
【００７８】
以上、変形例によれば、複数の表示装置１のうち、他の画像（例えば、差替画像Ｃ２等）を表示する特定の表示装置１に係る情報（例えば、対象端末番号２０４ａ）を含み、
表示制御部１０５が、表示条件情報に基づいて、複数の表示装置１の中から特定された表示装置１に他の画像を表示させるので、表示条件情報により他の画像を表示させる表示装置１を指定することができ、表示制御装置１００が複数の表示装置１の表示態様を制御するにあたり、より簡単に他の画像を表示させることができる。
【００７９】
また、表示制御部１０５が、複数の画像のうち一部の画像を複数の表示装置１のうち一部の表示装置１に表示させ、他の画像を他の表示装置１に表示させるので、複数の画像を順次連続して表示するに際して、画像を表示する表示装置を順次別のものとすることができ、他の画像による複数の画像の表示パターンをより多彩なものとすることができる。
【００８０】
なお、本発明は、上記の実施形態に限定されることなく、本発明の趣旨を逸脱しない範囲において、種々の改良並びに設計の変更を行っても良い。
例えば、上記の実施形態では、順次表示される複数の画像（例えば、グループ画像）と差し替えられて表示される差替画像（例えば、差替画像Ｃ１、Ｃ２等）を他の画像として記載しているが、他の画像の一例であってこれに限られるものでない。例えば、上記の差替画像Ｃ１、Ｃ２と同様のデータ構造を有する画像を、複数の画像が順次表示される際に、順次表示される複数の画像にさらに追加されて表示される他の画像としてもよい。この場合、複数の画像のうちの何れかの画像の前又は後に他の画像を表示するための追加表示条件として、例えば、対象フレーム番号２０６により他の画像の直前又は直後に表示される画像のフレーム番号を示す情報が含まれる。
【００８１】
また、上記の実施形態では、画像関連付け情報及び表示条件情報として機能する各種の情報がｅｘｉｆタグ２００のメーカーノート２０１に含まれているが、一例であってこれに限られるものではない。例えば、画像データのファイル名等により画像の表示条件が示されるようにしてもよい。
【００８２】
また、上記の実施形態の図９〜１１にて例示したグループ画像及び差替画像の表示態様、記録媒体１０１ａに記録された画像の組、グループ画像及び差替画像ならびにこれらの画像の数等はあくまで一例であり、これに限られるものではない。例えば、グループ画像は二つ又は五つ以上のグループ画像を含んでいてもよい。また、差替画像により差し替えられる複数の画像は、画像の組に含まれるグループ画像に限らず、所定の時間をおいて順次表示される複数の画像であればよい。画像の差し替えでなく、複数の画像に追加される画像についても同様である。
【００８３】
また、上記の実施形態では、ランダムイベント、時間イベント及び表示回数イベントにより差替画像の表示条件の成立に係る判定を行っているが、一例であり、これに限られるものではない。例えば、ランダムイベント、時間イベント及び表示回数イベントのいずれか一つ又は二つにより差替画像の表示条件の成立に係る判定を行ってもよい。また、時間イベントの基準時は上記の実施形態の例に限らず、例えば、複数の画像を順次表示させる処理に係る任意のタイミングを基準時とすることができる。また、表示回数イベントについても、例えば、複数の画像に含まれる特定の画像（例えば、差替対象画像等）の表示回数等、複数の画像のうち基準となる画像の表示回数を用いてもよい。
【００８４】
また、上記の実施形態におけるランダム値の生成方法は一例であって、これに限られるものではない。例えば、ハードウェア乱数生成器等を用いて乱数を生成し、生成された乱数をランダム値として取得してもよいし、平方採中法やその他の擬似乱数生成アルゴリズムに基づいてランダム値を取得してもよい。
【００８５】
また、上記の変形例では、表示制御部１０５が、複数の画像のうち一部の画像を複数の表示装置１のうち一部の表示装置１に表示させ、他の画像を他の表示装置１に表示させる表示制御を行っているが、一例であってこれに限られるものではない。例えば、表示制御部１０５は、複数の表示装置１の全てについて、複数の画像を所定の時間をおいて順次表示させるようにしてもよい。ここで、複数の表示装置１の各々により表示される画像は同一であってもよいし、異なるものであってもよい。例えば、表示制御部１０５は、１つの画像の組に含まれる複数のグループ画像による表示パターンを複数の表示装置１の全てに共通して行わせてもよいし、複数の表示装置１の各々に異なる画像の組に含まれるグループ画像の表示を行わせてもよい。
【００８６】
また、上記実施形態にあっては、中央制御部１０８のＣＰＵの制御下にて、記録媒体制御部１０１、画像取得部１０２、表示条件取得部１０３、判定部１０４、表示制御部１０５等が駆動することにより実現される構成としたが、これに限られるものではなく、ＣＰＵによって所定のプログラム等が実行されることにより実現される構成としても良い。
即ち、プログラムを記録するプログラムメモリ（図示略）に、画取得ルーチン、表示条件情報取得ルーチン、制御ルーチンを含むプログラムを記録しておく。そして、画像取得ルーチンによりＣＰＵが、所定時間を空けて順次表示される複数の画像と関連付けるための画像関連付け情報が付帯され、当該複数の画像と異なる他の画像を取得するようにしても良い。また、表示条件情報取得ルーチンによりＣＰＵが、取得された他の画像に付帯され、当該他の画像の表示タイミングに係る表示条件情報を取得するようにしても良い。また、制御ルーチンによりＣＰＵが、取得された表示条件情報に基づいて、画像関連付け情報により関連付けられた複数の画像の表示に関連付けて他の画像を所定の表示タイミングで前記表示手段に表示させるようにしても良い。
【００８７】
同様に、表示制御装置１００による他の処理についても、中央制御部１０８のＣＰＵによって所定のプログラム等が実行されることにより実現される構成としても良い。
【００８８】
さらに、上記の各処理を実行するためのプログラムを格納したコンピュータ読み取り可能な媒体として、ＲＯＭやハードディスク等の他、フラッシュメモリ等の不揮発性メモリ、ＣＤ−ＲＯＭ等の可搬型記録媒体を適用することも可能である。また、プログラムのデータを所定の通信回線を介して提供する媒体としては、キャリアウェーブ（搬送波）も適用される。
【００８９】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
表示手段による画像の表示を制御する表示制御装置であって、
所定時間を空けて順次表示される複数の画像と関連付けるための画像関連付け情報が付帯され、当該複数の画像と異なる他の画像を取得する第１の取得手段と、
この第１の取得手段により取得された前記他の画像に付帯され、当該他の画像の表示タイミングに係る表示条件情報を取得する第２の取得手段と、
前記画像関連付け情報により関連付けられた前記複数の画像の表示に関連付けて、前記他の画像を前記第２の取得手段によって取得された前記表示条件情報に基づく表示タイミングで前記表示手段に表示させる制御手段と、
を備え、
前記表示条件情報は、前記画像関連付け情報により関連付けられた前記複数の画像の中から、前記他の画像と差し替えられる差替対象画像を特定するための情報を含み、
前記制御手段は、順次表示される前記複数の画像の中から前記表示条件情報に基づいて特定された前記差替対象画像と差し替えて前記他の画像を前記表示手段に表示させることを特徴とする表示制御装置。
＜請求項２＞
前記複数の画像は、各組が少なくとも二つの画像を含む複数の組に組分けされ、
前記表示条件情報は、前記複数の組のうち、前記差替対象画像を含む一の組を特定するための情報を含み、
前記制御手段は、前記表示条件情報に基づいて特定された前記一の組に含まれる複数の画像が順次表示される際に、当該一の組に含まれる前記差替対象画像と差し替えて前記他の画像を前記表示手段に表示させることを特徴とする請求項１に記載の表示制御装置。
＜請求項３＞
前記表示条件情報は、更に前記複数の画像のうちの何れかの画像の前又は後に前記他の画像を表示するための追加表示条件を含むことを特徴とする請求項１に記載の表示制御装置。
＜請求項４＞
前記表示条件情報は、ランダムテーブルに規定されている複数のランダム値のうちの所定値に係る情報を含み、
前記ランダムテーブルに規定されている複数のランダム値のうちのいずれかを決定する決定手段と、
前記表示条件情報に含まれる前記所定値と前記決定手段によって決定されたランダム値とが一致するか否か判定する第１判定手段を更に備え、
前記制御手段は、前記第１判定手段により前記所定値と前記ランダム値とが一致すると判定された場合に、前記他の画像を前記表示手段に表示させることを特徴とする請求項１〜３の何れか一項に記載の表示制御装置。
＜請求項５＞
前記表示条件情報は、前記他の画像を表示する時間の周期を示す周期値に係る情報を含み、
前記複数の画像が順次表示される際に、基準時から前記表示条件情報に含まれる前記周期値に応じた時間が経過したか否か判定する第２判定手段を更に備え、
前記制御手段は、前記第２判定手段により前記周期値に応じた時間が経過したと判定された場合に、前記他の画像を前記表示手段に表示させることを特徴とする請求項１〜３の何れか一項に記載の表示制御装置。
＜請求項６＞
前記表示条件情報は、前記他の画像の所定の表示タイミング以前に前記一の組に含まれる複数の画像が表示される回数を示す回数値に係る情報を含み、
前記一の組に含まれる複数の画像が順次表示される際に、当該一の組に含まれる複数の画像が前記表示条件情報に含まれる前記回数値に応じた回数表示されたか否か判定する第３判定手段を更に備え、
前記制御手段は、前記第３判定手段により前記一の組に含まれる複数の画像が前記回数値に応じた回数表示されたと判定された場合に、前記他の画像を前記表示手段に表示させることを特徴とする請求項２に記載の表示制御装置。
＜請求項７＞
前記表示手段は、複数設けられ、
前記表示条件情報は、前記複数の表示手段のうち、前記他の画像を表示する特定の表示手段に係る情報を含み、
前記制御手段は、前記表示条件情報に基づいて、前記複数の表示手段の中から特定された前記特定の表示手段に前記他の画像を表示させることを特徴とする請求項１〜６の何れか一項に記載の表示制御装置。
＜請求項８＞
複数の画像の表示手段による表示を制御する表示制御方法であって、
所定時間を空けて順次表示される前記複数の画像と関連付けるための画像関連付け情報が付帯され、当該複数の画像と異なる他の画像を取得するステップと、
取得された前記他の画像に付帯され、当該他の画像の表示タイミングに係る表示条件情報を取得するステップと、
前記画像関連付け情報により関連付けられた前記複数の画像の表示に関連付けて、前記他の画像を取得された前記表示条件情報に基づく表示タイミングで前記表示手段に表示させる表示ステップと、
を有し、
前記表示条件情報は、前記画像関連付け情報により関連付けられた前記複数の画像の中から、前記他の画像と差し替えられる差替対象画像を特定するための情報を含み、
前記表示ステップは、順次表示される前記複数の画像の中から前記表示条件情報に基づいて特定された前記差替対象画像と差し替えて前記他の画像を前記表示手段に表示させることを特徴とする表示制御方法。
＜請求項９＞
複数の画像の表示手段による表示を制御する表示制御装置のコンピュータを、
所定時間を空けて順次表示される前記複数の画像と関連付けるための画像関連付け情報が付帯され、当該複数の画像と異なる他の画像を取得する手段、
取得された前記他の画像に付帯され、当該他の画像の表示タイミングに係る表示条件情報を取得する手段、
前記画像関連付け情報により関連付けられた前記複数の画像の表示に関連付けて、前記他の画像を取得された前記表示条件情報に基づく表示タイミングで前記表示手段に表示させる表示手段、
として機能させ、
前記表示条件情報は、前記画像関連付け情報により関連付けられた前記複数の画像の中から、前記他の画像と差し替えられる差替対象画像を特定するための情報を含み、
前記表示手段は、順次表示される前記複数の画像の中から前記表示条件情報に基づいて特定された前記差替対象画像と差し替えて前記他の画像を前記表示手段に表示させることを特徴とするプログラム。
【符号の説明】
【００９０】
１        表示装置
２        表示部
１００    表示制御装置
１０１    記録媒体制御部
１０１ａ  記録媒体
１０２    画像取得部
１０３    表示条件取得部
１０４    判定部
１０４ａ  ランダム値決定部
１０４ｂ  経過時間取得部
１０４ｃ  表示回数取得部
１０５    表示制御部
２００    ｅｘｉｆタグ
２０３    グループＩＤ
２０４    コントロールモード
２０４ａ  対象端末番号
２０４ｂ  イベント種別
２０５    イベントパラメータ
２０６    対象フレーム番号
【図１】
2013073025.tif 000003
【図２】
2013073025.tif 000004
【図３】
2013073025.tif 000005
【図４】
2013073025.tif 000006
【図５】
2013073025.tif 000007
【図６】
2013073025.tif 000008
【図７】
2013073025.tif 000009
【図８】
2013073025.tif 000010
【図９】
2013073025.tif 000011
【図１０】
2013073025.tif 000012
【図１１】
2013073025.tif 000013